(57)【要約】【課題】  複数ページの原稿を読み取るときに、ユーザの操作ミスの発生を防ぐ。【解決手段】  原稿の読取モード及び製本モードに基づき複数ページの原稿画像をスキャナ１０で読み取り、画像データとして画像蓄積部１３にページ単位で格納し、操作表示部１２上で中綴じなどの製本モードを選択して、複写物を出力する画像形成装置において、制御部１５は、選択された製本モードに応じて原稿のページ数をカウントするカウント手段を有し、原稿を読み取る毎に、操作表示部１２の入力手段により入力したページ数を元に前記カウント手段によりカウントして、次に読み取るべき原稿のページ数を順次に操作表示部１２にガイダンス表示する。【選択図】図１
2011244333.tif 000002
【特許請求の範囲】
【請求項１】
原稿を読み取り、画像信号に変換して出力する画像読取手段と、
前記画像読取手段により読み取られた原稿の画像を蓄積する画像蓄積手段と、を備え、
前記画像蓄積手段により蓄積された前記原稿の画像を記録媒体に形成する画像形成装置であって、
ユーザにより読み取り開始ページ数を入力する入力手段と、
前記画像読取手段により複数ページの原稿の各ページを読み取る毎に、前記入力手段により入力された読み取り開始ページ数から読み取ったページをカウントするカウント手段と、
前記カウント手段のカウント値を表示する表示手段と、を有することを特徴とする画像形成装置。
【請求項２】
請求項１に記載された画像形成装置において、
前記カウント手段は、前記画像読取手段により読み取られる前記複数ページの原稿に対してのカウント中に新たにページ数が入力された場合、以降の前記画像読取手段により読み取られる原稿に対して、前記新たに入力されたページ数を元にカウントすることを特徴とする画像形成装置。
【請求項３】
請求項１又は２に記載された画像形成装置において、
前記複数ページの原稿が見開き原稿であるとき、前記画像読取手段は、前記見開き原稿の見開き２ページを同時に読み取り、１ページ毎に画像信号を生成するページ連写読取モードを有し、
前記ページ連写読取モードにより前記見開き原稿を読み取るとき、前記カウント手段は、２ページずつカウントすることを特徴とする画像形成装置。
【請求項４】
請求項１又は２に記載された画像形成装置において、
前記複数ページの原稿が見開き原稿であるとき、
前記画像読取手段は、前記見開き原稿の見開き２ページを同時に読み取り、見開きページのままに画像信号を生成する見開きページ読取モードを有し、
前記見開きページ読取モードにより前記見開き原稿を読み取るとき、前記カウント手段は、２ページずつカウントすることを特徴とする画像形成装置。
【請求項５】
請求項３又は４に記載された画像形成装置において、
前記画像読取手段により前記複数ページの原稿を読み取る際に、前記ページ連写読取モード又は前記見開きページ読取モードを選択する選択手段を有することを特徴とする画像形成装置。
【請求項６】
請求項１ないし５のいずれかに記載された画像形成装置において、
原稿の読み取りたいページへスキップするスキップモード選択手段を有することを特徴とする画像形成装置。
【請求項７】
請求項１ないし６のいずれかに記載された画像形成装置において、
前記画像読取手段により読み取った原稿の画像データより原稿のページ数を認識する文字認識手段と、
原稿を読み取った際に、前記文字認識手段により認識された原稿のページ数と、前記表示手段により表示されたカウント値が一致しているか否かを判断する判断手段と、を有することを特徴とする画像形成装置。
【請求項８】
請求項７に記載された画像形成装置において、
前記判断手段により、前記文字認識手段により認識された原稿のページ数と、前記表示手段により表示されたカウント値が一致していないと判断されたとき、エラー又は警告をユーザに通知するエラー又は警告通知手段を有することを特徴とする画像形成装置。
【発明の詳細な説明】
【技術分野】
【０００１】
本発明は、複数ページの原稿を読み取り、所定の配列順序で複写物を作成する画像形成装置に関する。
【背景技術】
【０００２】
記録紙の表裏両面に複写することができる両面複写機は既に広く使用されている。従来の両面複写機において、表裏両面に画像が形成された書籍などのブック原稿を複写する際の通常の両面複写プロセスでは、見開きページ（２ページ）について１回の露光で１枚の記録紙の表面に複写し、次の見開きページ（２ページ）を、同様に１回の露光で上記記録紙の裏面に複写するため、ブック原稿と表裏が同一で、且つ、同じページ順序の複写物を作成することはできない。
そのため、ブック原稿の場合には見開きページの左右を別々に露光し、ブック原稿と表裏が同一で、且つ、同じページ順序の複写物を作成するようにしている。
【０００３】
しかし、このような両面複写プロセスでは、見開きページの左と右を別々に露光して、見開きページの左と右を別々の記録紙の表面或いは裏面に複写するために、その構成及び給紙制御操作が複雑になる。更に、上記の両面複写プロセスでは、複写物の右或いは左を単に綴じる通常綴じに対応することができるだけで、袋綴じや、中綴じ（週刊誌綴じとも云う）等の複写物の製本方法に対応して、所定のページ配列の順序で複写物を作成することができない問題がある。
【０００４】
そこで、ブック原稿などの複数のページの原稿を読み取り、その読み取った原稿のページ数を蓄積し、中綴じ（週刊誌綴じ）や袋綴じなどの製本モードに応じてページ数を並び替え、ユーザが所望する製本モードで複写出力するデジタル画像形成装置が提案されている（特許文献１参照）。
【０００５】
しかしながら、特許文献１に記載されたデジタル画像形成装置は、袋綴じや、週刊誌綴じ等の様々な製本方法に対応して、所定のページ配列の順序で複写物を作成することができるものの、読取手段がブック原稿のページ順に間違いなく原稿を読み取ることを前提にしているため、ブック原稿などのページ数が多い原稿を読み取る際に、ユーザがページ数を間違うなどの人的操作ミスや、他のユーザによる割り込みコピーなどによる作業中断が発生した場合には、正確なページ配列の順序で複写物を作成することができないという問題は解決されていない。
例えば、袋綴じや、中綴じ等の製本モードで複写物を出力する場合や、ＰＤＦ（Portable Document Format：登録商標)、ＴＩＦＦ（Tagged Image File Format：登録商標）形式などのファイルを作成するときに、作業中断や操作ミスが発生すると、最初から作業をやり直さなければならないため、手間がかかるという問題がある。
【発明の概要】
【発明が解決しようとする課題】
【０００６】
本発明は、上記従来の問題に鑑みてなされたものであって、その目的は、画像形成装置において、複数ページの原稿を読み取る際に、ユーザによる操作ミスの発生や、作業中断による誤動作の発生を防ぎ、ユーザ所望のページ配列の順序で複写物が出力できるようにすることである。
【課題を解決するための手段】
【０００７】
本発明は、原稿を読み取り、画像信号に変換して出力する画像読取手段と、前記画像読取手段により読み取られた原稿の画像を蓄積する画像蓄積手段と、を備え、前記画像蓄積手段により蓄積された前記原稿の画像を記録媒体に形成する画像形成装置であって、ユーザにより読み取り開始ページ数を入力する入力手段と、前記画像読取手段により複数ページの原稿の各ページを読み取る毎に、前記入力手段により入力された読み取り開始ページ数から読み取ったページをカウントするカウント手段と、前記カウント手段のカウント値を表示する表示手段と、を有することを特徴とする画像形成装置である。
【発明の効果】
【０００８】
本発明によれば、ユーザが作業開始前に、複数ページの原稿の読み取り開始ページを操作表示部より入力し、原稿の読み取り時に、操作表示部に読み取るべきページ数を順次にガイダンス表示することで、ユーザの操作ミスを防ぎ、ユーザ所望のページ配列の順序で複写物を出力することができる。
【図面の簡単な説明】
【０００９】
【図１】本実施形態の画像形成装置の機能ブロック図である。
【図２】本実施形態の画像形成装置におけるガイダンス表示の手順を示すフロー図である。
【図３】スキップモードの処理の手順を示すフロー図である。
【図４】ページ連写読取モードの処理の手順を示すフロー図である。
【図５】ページ連写読取時のスキップモードの処理の手順を示すフロー図である。
【図６】ページ数認識処理の手順を示すフロー図である。
【発明を実施するための形態】
【００１０】
以下、本発明を実施するための形態について、添付した図面を参照して説明する。
図１は、本実施形態の画像形成装置１００の機能ブロック図である。
図１に示すように、本実施形態の画像形成装置１００は、原稿のサイズ、方向を検知する原稿センサを備えて原稿を読み取る画像読取手段であるスキャナ１０と、読み取った画像情報を用紙の両面に印刷するプリンタ１１と、各種操作キーと表示パネルなどを備えた操作表示部１２と、画像情報を蓄積するＨＤＤ（Hard Disk Drive）などの画像蓄積部１３と、画像の変倍、集約等を行う画像処理部１４と、画像形成装置全体を制御する制御部１５と、制御部１５が実行するプログラムなどを格納するＲＯＭ（Read Only Memory）１６と、制御部１５のワークエリアを提供し、制御部１５の制御に必要なパラメータ等を記憶するＲＡＭ（Random Access Memory）１７より構成されている。
【００１１】
操作表示部１２は、複写枚数や複写倍率などを入力するテンキー、スタートボタン、ストップボタンなどの各種操作キーと、原稿の読取モードや中綴じモード、袋綴じモード及び通常モードなどの製本モードを選択、表示する、例えばタッチパネルなどの操作パネルで構成されている。また、操作表示部１２のテンキーからは、ユーザが読み取るべき原稿のページを表す数字を入力することができ、操作パネルでは、上記入力されたページ数を表示し、また、原稿を読み取る毎に、入力したページ数を元にカウントアップして、次に読み取るべき原稿のページ数を表示するガイダンス表示を行う。
【００１２】
制御部１５は、画像形成装置１００全体を制御し、本実施形態の各種処理を実行しており、上記ガイダンス表示を行うためのページ数をカウントするカウント手段、画像データより文字を認識する文字認識手段などを有する。
【００１３】
なお、本実施形態では、画像蓄積部１３をＨＤＤなどのように画像形成装置１００内に備えるとして記載したが、画像情報を蓄積する画像蓄積手段として、例えば、外部サーバや外部ＰＣなど、画像形成装置１００の外部に備えるものでもよい。
【００１４】
以上の構成を備えた画像形成装置１００は、原稿の読取モードに基づき、原稿画像をスキャナ１０で読み取り、画像データとして画像蓄積部１３にページ単位で蓄積する。蓄積された画像データに対して、画像処理部１４で変倍、集約などの画像処理を行い、ＰＤＦなどのファイル化、又は、記録媒体、例えば記録紙に画像を転写して、ユーザが指定する中綴じなどの製本モードに従い、プリンタ１１により複写物を出力する。
【００１５】
原稿の読取モードは、原稿のタイプに応じて、ユーザが操作表示部１２上で選択することができる。例えば、ブック原稿のような見開きページを読み取る際には見開き原稿の読取モードを選択し、両面原稿を読み取る際には、両面読取モードを選択し、通常の片面原稿の場合は、読取モードの選択は行わない。
【００１６】
この画像形成装置１００において、例えば中綴じ製本形式で出力を行う場合には、既に述べたように、ユーザ所望の正確なページ配列の順序での出力が求められる。また、ＰＤＦ（登録商標）などのファイル化を行う場合でも、正確なページ配列の順序での出力が求められる。
【００１７】
ところで、ブック原稿などの複数の原稿を読み取るときは、ユーザが一枚ずつ原稿を捲って読み取りを行なうが、原稿の枚数が多いと、ページ数を間違うなどの操作ミスが発生することがある。また、他のユーザによる割り込みコピーなどにより作業が中断するとその中断中に読み取るべきページ数を忘れるなどのミスが生じる。このようなユーザのミスに備えて、複数枚の原稿を読み取るとき、読み取る原稿のページをユーザが確認できることが望ましい。
そこで、本実施形態の画像形成装置は、このようなユーザのミスを防止するため、操作パネルに原稿のページ数（つまり、何頁の原稿から読み取るべきか、そのページ数）の表示、つまり上記ガイダンス表示を行う。
【００１８】
なお、制御部１５は、操作表示部１２上で後述のカウント手段により原稿のページ数をカウントして上記ガイダンス表示を行う。また、ユーザは、操作表示部１２で原稿ページのガイダンス表示を行うか否かの選択を行うことができる。
【００１９】
次に本画像形成装置１００で行う処理について順に説明する。
まず、本画像形成装置１００が行う上記ガイダンス表示の処理について説明する。
図２は、本実施形態の画像形成装置１００における上記ガイダンス表示の手順を示すフロー図である。なお、以下の処理は制御部１５により実行される。
【００２０】
図２において、原稿の読み取り作業開始の際に、制御部１５は原稿の読み取りページのガイダンス表示機能が選択されたかを否かを判断する(Ｓ１０１)。読み取りページのガイダンス表示機能が選択された場合（Ｓ１０１：ＹＥＳ）、複数枚の原稿がブック原稿であるとして、ページ連写読取モードが選択されているか否かを判断する(Ｓ１０３)。
ページ連写読取モードが選択されていない場合（Ｓ１０３:ＮＯ）、ユーザがブック原稿の読み取り開始のページ数（先頭ページ数Ａ）を操作表示部１２より入力すると（Ｓ１０５）、制御部１５は、カウンタ値の初期化（カウンタ値ｎ＝０とする）を行い、操作表示部１２に読み取り開始のページ数Ｎ（Ｎ＝Ａ＋ｎ）を表示する(Ｓ１０６)。
【００２１】
操作表示部１２に読み取り開始のページ数Ｎが表示されると、ユーザは表示されたページ数Ｎを確認し、操作表示部１２のスタートボタン(図示せず)を押し、スキャナ１０よりＮページの原稿を読み取り、画像蓄積部１３に、読み取ったＮページの原稿の画像データを蓄積する（Ｓ１０７）。
【００２２】
ここで、制御部１５の文字認識機能を用いて、蓄積したＮページの原稿の画像データに対して、ページ数の認識を行う場合は（Ｓ１０８：ＹＥＳ）、ページ数認識の処理に移行する（Ｓ１０９）。なお、ページ数認識の処理は、図６を参照して後述するが、要するに、光学式文字読み取り認識(ＯＣＲ)として、活字の文書の画像（通常イメージスキャナーで取り込まれる）をコンピュータが編集できる形式（文字コードの列）に変換する処理である。
【００２３】
ページ数認識の処理が終了すると（Ｓ１０９）、制御部１５は、ページ数認識の結果を操作表示部１２に表示し、ユーザが入力した原稿の読み取り開始のページ数との異同について、ページ数の認識の結果によるエラー又は警告の通知を行うか否かの判断を行う(Ｓ１１０)。ページ数の認識の結果、つまり入力結果と認識結果が不一致であることによるエラー又は警告の通知を行うときは（Ｓ１１０:ＹＥＳ）、ユーザは、操作表示部１２に表示されるページ数認識の結果に基づいて、読み取ったページが正しいか、ユーザの読取間違い（作業ミス）か、文字認識による誤検知かなどの原因を確認して、Ｎページの原稿の再読取が必要か否かの判断を行う（Ｓ１１１）。Ｎページの原稿の再読取が必要なしと判断したときは（Ｓ１１１：ＮＯ）、制御部１５はカウンタ値ｎに１をカウントアップして（Ｓ１１２）、操作表示部１２に次に読み取るべきページ数Ｎ（Ｎ＝Ａ＋ｎ）を表示する（Ｓ１１３）。
【００２４】
ユーザがＮページの原稿の再読取が必要と判断した場合は（Ｓ１１１：ＹＥＳ）、操作表示部１２上に表示された再読取ボタン（図示せず）を押して、制御部１５はステップＳ１０７の処理へ戻り、Ｎページの原稿の再読み取りを行う。
【００２５】
また、ユーザの入力ページ数と上記認識したページ数が一致しているとき、つまりステップＳ１１０でエラー又は警告の通知がないときは（Ｓ１１０：ＮＯ）、及びステップＳ１０８でページ数の認識を行わないときは（Ｓ１０８：ＮＯ）、ステップＳ１１２の処理に移行し、カウンタ値ｎに１をカウントアップして（Ｓ１１２）、操作表示部１２に次に読み取るべきページ数Ｎ（Ｎ＝Ａ＋ｎ）を表示する（Ｓ１１３）。
【００２６】
次に、ステップＳ１１３で操作表示部１２に次に読み取るべきページ数Ｎを表示した後、制御部１５はスキップモード指示入力の有無の判断を行う（Ｓ１１４）。スキップモード指示入力なしで、ブック原稿のページ数をスキップしないときは（Ｓ１１４：ＮＯ）、ブック原稿の全ページの読み取りが終了したか否かの判断を行い（Ｓ１１６）、全ページの読み取りが終了した場合は（Ｓ１１６：ＹＥＳ）、プリンタ出力、製本出力、ＰＤＦ(登録商標)やＴＩＦＦ(登録商標)のようなファイル化など、ユーザが所望する出力形式の処理を実行する（Ｓ１１７）。
【００２７】
一方、ブック原稿の全ページの読み取りが終了していないときは（Ｓ１１６：ＮＯ）、ステップＳ１０７の処理に戻り、全ページの原稿を読み取るまで、ステップＳ１０７〜Ｓ１１６の処理を繰り返す。
【００２８】
また、ステップＳ１１４でスキップモード指示入力有りと判断したときは、スキップモードに移行する（Ｓ１１５）。なお、スキップモードの処理については、図３を参照して具体的な説明を行う。
【００２９】
また、ステップＳ１０３でページ連写読取モードが選択されたときは（Ｓ１０３：ＹＥＳ）、ページ連写での読み取り処理へ移行し(Ｓ１０４)、プリンタ出力、製本出力、ＰＤＦ(登録商標)やＴＩＦＦ(登録商標)のようなファイル化など、ユーザが所望する出力形式の処理を実行して（Ｓ１１７）、処理を終了する。なお、ページ連写読取モードとは、見開き原稿の左右または上下のページを同時に読み取って、１ページ毎に画像を複写または画像データを生成して保存する機能であり、「ページ連写」機能として知られている。なお、ページ連写読取モードの処理については、図４を参照して具体的な説明を行う。
【００３０】
また、ステップＳ１０１で読み取りページのガイダンス表示機能が選択されていないときは（Ｓ１０１:ＮＯ）、通常の動作で印刷を行う（Ｓ１０２）。
【００３１】
以上の処理により、ブック原稿など複数ページの原稿を読み取る際に、読み取るべきページ数を操作表示部１２にガイダンス表示し、異常が発生した場合はユーザに知らせることにより、ユーザの作業ミスを防ぐことができる。また、ユーザの入力間違い、或いはスキップモードの移行等に対応して、ユーザがページ数のカウント中に新たにページ数が入力した場合、カウンタは読み取られる原稿に対して、新たに入力されたページ数を先頭ページ数としてカウントして、ガイダンス表示することができる。
【００３２】
なお、上記の処理手順では、ガイダンス表示のみで説明を行っているが、カウンタ値のガイダンスの方法はガイダンス表示だけではなく、操作表示部１２を見ずに確認したいユーザのために、操作表示部１２にスピーカーなどを設け、音声ガイダンスを行ってもよいし、音声、表示の両方でガイダンスを行ってもよい。さらに、ユーザのさまざまな要望に応えられるように、音声、表示などの切換制御を可能にしてもよい。
【００３３】
図３は、図２のステップＳ１１５に示したスキップモードの処理の手順を示すフロー図である。
まず、図２のステップＳ１１４において、ブック原稿の読み取りたいページへスキップする場合は（Ｓ１１４：ＹＥＳ）、ユーザがスキップモード指示手段により、スキップモード指示入力を行い、図３のスキップモードに移行する（Ｓ１１５）。
【００３４】
図３において、スキップモードに移行後、ユーザがブック原稿のスキップ先の読み取り開始のページ数Ｂ（スキップ先頭ページ数）を操作表示部１２のテンキーより入力する（Ｓ１２０）。
次に、カウンタ値ｎの初期化（ｎ＝０とする）を行い、操作表示部１２にスキップ後の読み取り開始のページ数Ｎ（Ｎ＝Ｂ＋ｎ）を表示する（Ｓ１２１）。
操作表示部１２に読み取り開始のページ数Ｎが表示されると、ユーザが操作表示部１２のスタートボタンを押して、スキャナ１０よりＮページの原稿を読み取り、画像蓄積部１３に、読み取った画像データを蓄積する（Ｓ１２２）。
【００３５】
次に、蓄積されたＮページの原稿の画像データに対して、制御部１５の文字認識機能を用いてページ数の認識を行うか否かの判断を行う（Ｓ１２３）。ページ数の認識を行うときは（Ｓ１２３：ＹＥＳ）、ページ認識の処理に移行する（Ｓ１２４）。ページ数認識の処理が終了すると、ページ数認識の結果が操作表示部１２上に表示され、制御部１５は、ページ数の認識の結果によるエラー又は警告の通知を行うか否かの判断を行う（Ｓ１２５）。ページ数の認識の結果によるエラー又は警告の通知を行うときは（Ｓ１２５：ＹＥＳ）、ユーザは操作表示部１２に表示されるページ数の認識の結果に基づいて、Ｎページの原稿の再読取が必要か否かを判断する（Ｓ１２６）。
ユーザがＮページの原稿の再読取が必要なしと判断したときは（Ｓ１２６：ＮＯ）、制御部１５は原稿のカウンタ値ｎに１をカウントアップして（Ｓ１２７）、次に読み取るべきページ数Ｎ（Ｎ＝Ｂ＋ｎ）を操作表示部１２に表示する（Ｓ１２８）。
【００３６】
一方、ステップＳ１２６でユーザがＮページの原稿の再読取を必要と判断したときは（Ｓ１２６：ＹＥＳ）、操作表示部１２上に表示された再読取ボタンを押すことにより、制御部１５はステップＳ１２２の処理へ戻り、Ｎページの原稿の再読取を行う。
また、ステップＳ１２５でエラー又は警告の通知を行わないとき（Ｓ１２５：ＮＯ）、及びステップＳ１２３でページ数の認識を行わないときは（Ｓ１２３：ＮＯ）、ステップＳ１２７の処理に移行し、制御部１５はカウンタ値ｎに１をカウントアップして（Ｓ１２７）、次に読み取るべきページ数Ｎ（Ｎ＝Ｂ＋ｎ）を操作表示部１２に表示する(Ｓ１２８)。
【００３７】
ここで、ブック原稿を更にスキップしないときは（Ｓ１２９：ＮＯ）、ブック原稿の全ページが読み取り終了したか否かの判断を行い(Ｓ１３０)、ブック原稿の全ページの読み取りが終了したときは（Ｓ１３０：ＹＥＳ）、スキップモードを終了して、ステップＳ１１７（図２）の処理に戻り、プリンタ出力、製本出力、ＰＤＦ(登録商標)やＴＩＦＦ(登録商標)のようなファイル化など、ユーザが所望する出力形式の処理を実行する。
【００３８】
一方、ステップＳ１３０でブック原稿の全ページの読取が終了していないときは（Ｓ１３０：ＮＯ）、ステップＳ１２２の処理に戻り、全てのブック原稿を読み取るまで、ステップＳ１２２〜Ｓ１３０の処理を繰り返す。
【００３９】
また、ステップＳ１２９でブック原稿の読み取りたいページへ更に何ページかをスキップするときは（Ｓ１２９：ＹＥＳ）、ユーザがスキップモード選択手段により、スキップモード指示入力を行い、ステップＳ１２０の処理に戻り、上記ステップＳ１２０〜Ｓ１２９の処理を繰り返す。
【００４０】
以上のスキップモードの処理により、読み取る必要のないページをスキップして原稿を読み取りたい場合においても、読み取るべきページのガイダンス表示を行うことができ、ユーザの作業ミスを防ぐことができる。
【００４１】
図４は、図２のステップＳ１０４のページ連写読取モードの処理の手順を示すフロー図である。
図４においてまず、制御部１５は、ユーザのページ連写読取モードのモード切換操作に基づいて、ページ連写読取モードへ移行する。
【００４２】
ページ連写読取モードに移行した後、ユーザがブック原稿の読み取り開始のページ数Ａ（先頭ページ数Ａ）を操作表示部１２のテンキーより入力する（Ｓ１４０）。次に、原稿のカウンタ値ｎの初期化（ｎ＝０とする）を行い、操作表示部１２に読み取り開始のページ数Ｎ（Ｎ＝Ａ＋ｎ）を表示する（Ｓ１４１）。
【００４３】
操作表示部１２に読み取り開始ページ数Ｎが表示されると、ユーザが操作表示部１２上のスタートボタンを押して、スキャナ１０よりブック原稿のＮページ及びＮ＋１ページを読み取り、画像処理部１４にて読み取った画像を分割し、画像蓄積部１３に、読み取った画像データを蓄積する（Ｓ１４２）。
【００４４】
次に、蓄積された画像データに対して、制御部１５の文字認識機能を用いて、ページ数の認識を行うか否かの判断を行い（Ｓ１４３）、ページ数の認識を行うときは（Ｓ１４３：ＹＥＳ）、ページ数の認識の処理に移行する（Ｓ１４４）。ページ数の認識を行わないときは（Ｓ１４３：ＮＯ）、ステップＳ１４７の処理に移行し、原稿のカウンタ値ｎに２をカウントアップする（Ｓ１４７）。なお、文字認識機能を用いたページ数認識の処理については、既に述べたとおりであり、図６を参照して具体的に説明する。
【００４５】
ステップＳ１４４でページ数認識の処理が終了すると、ページ数認識の結果が操作表示部１２に表示され、制御部１５は、ページ数の認識の結果によるエラー又は警告の通知を行うか否かの判断を行う（Ｓ１４５）。ページ数の認識の結果によるエラー又は警告の通知を行うときは（Ｓ１４５：ＹＥＳ）、ユーザは操作表示部１２に表示されたページ数認識の結果に基づいて、Ｎページの原稿の再読取が必要か否かを判断する（Ｓ１４６）。
ユーザがＮページの原稿の再読取が必要なしと判断したときは（Ｓ１４６：ＮＯ）、制御部１５はカウンタ値ｎに２をカウントアップし（Ｓ１４７）、次に読み取るべきページ数Ｎ（Ｎ＝Ａ＋ｎ）を操作表示部１２に表示する（Ｓ１４８）。
【００４６】
一方、ユーザがＮページの原稿の再読取が必要と判断したときは（Ｓ１４６：ＹＥＳ）、操作表示部１２上に表示された再読取ボタンを押し、制御部１５はステップＳ１４２の処理へ戻り、Ｎページの原稿の再読取を行う。
【００４７】
また、ステップＳ１４５でエラー又は警告の通知がないとき（Ｓ１４５：ＮＯ）、及びステップＳ１４３でページ数の認識を行わないときは（Ｓ１４３：ＮＯ）、ステップＳ１４７の処理に移行し、原稿のカウンタ値ｎに２をカウントアップして（Ｓ１４７）、次に読み取るべきページ数Ｎ（Ｎ＝Ａ＋ｎ）を操作表示部１２に表示する（Ｓ１４８）。
【００４８】
次に、原稿をスキップするか否かの判断を行い（Ｓ１４９）、原稿をスキップしないときは（Ｓ１４９：ＮＯ）、ブック原稿の全ページの読み取りが終了したか否かの判断を行い（Ｓ１５１）、ブック原稿の全ページの読み取りが終了したときは（Ｓ１５１：ＹＥＳ）、この処理を終了する。
【００４９】
一方、ブック原稿の全ページの読み取りが終了していないときは（Ｓ１５１：ＮＯ）、ステップＳ１４２の処理に戻り、ブック原稿の全ページを読み取るまで、ステップＳ１４２〜Ｓ１５１ の処理を繰り返す。
また、ステップＳ１４９でブック原稿をスキップするときは（Ｓ１４９：ＹＥＳ）、ページ連写読取時のスキップモードの処理を行う（Ｓ１５０）。
【００５０】
以上の処理により、ページ連写読取モードを用いた場合でも、制御部１５のページ数カウント手段により、読み取るべきページのガイダンス表示を行うことができ、ユーザの作業ミスを防ぐことができる。
【００５１】
なお、ここでは画像読取手段として、「ページ連写読取モード」を実施形態として説明したが、ブック原稿の見開きページ（２ページ）を読み取って見開きページのまま（２ページ）の状態とする「見開き読取モード」も備えることができ、各モードを表示操作部１２上で選択可能にしてもよい。「見開き読取モード」を用いる場合にもページ連写読取モードと同様に見開きページを読み取る毎にカウンタ値ｎに２をカウントアップするページ数カウント手段を用いる。
【００５２】
図５は、ページ連写読取時（図４）のスキップモード（Ｓ１５０）の処理の手順を示すフロー図である。
ページ連写読み取り処理中にスキップモードへ移行すると、ユーザはブック原稿のスキップ先の先頭ページ数Ｂを操作表示部１２のテンキーより入力する（Ｓ１６０）。
次に、カウンタ値ｎの初期化（ｎ＝０とする）を行い、操作表示部１２にスキップ後の読み取り開始のページ数Ｎ（Ｎ＝Ｂ＋ｎ）を表示する（Ｓ１６１）。
【００５３】
操作表示部１２に読み取り開始のページ数Ｎが表示されると、ユーザが操作表示部１２のスタートボタンを押して、スキャナ１０よりブック原稿のＮページ及びＮ＋１ページを読み取り、画像処理部１４にて読み取った画像を分割し、画像蓄積部１３に、読み取った画像データを蓄積する（Ｓ１６２）。
【００５４】
次に、蓄積された画像データを、ページ数の認識を行うか否かの判断を行い（Ｓ１６３）、制御部１５の文字認識機能を用いて、ページ数の認識を行う場合は（Ｓ１６３：ＹＥＳ）、ページ数認識の処理を行い（Ｓ１６４）、ページ数認識の結果が操作表示部１２に表示される。
【００５５】
次に、制御部１５は、ページ数の認識の結果によるエラー又は警告の通知を行うか否かの判断を行い（Ｓ１６５）、エラー又は警告の通知を行うときは（Ｓ１６５：ＹＥＳ）、ユーザは操作表示部１２に表示されたページ数認識の結果に基づいて、Ｎページ、Ｎ＋１ページの原稿の再読取が必要か否かを判断する（Ｓ１６６）。
ユーザがＮページ、Ｎ＋１ページの再読取が必要なしと判断したときは（Ｓ１６６：ＮＯ）、制御部１５はカウンタ値ｎに２をカウントアップして（Ｓ１６７）、次に読み取るべきページ数Ｎ（Ｎ＝Ｂ＋ｎ）を表示操作部１２に表示する（Ｓ１６８）。
【００５６】
一方、ステップＳ１６６でユーザが原稿のＮページ、Ｎ＋１ページの再読取が必要と判断したときは（Ｓ１６６：ＹＥＳ）、操作表示部１２上に表示された再読取ボタンを押し、制御部１５はステップＳ１６２の処理へ戻り、原稿のＮページ、Ｎ＋１ページの再読取を行う。
【００５７】
また、ステップＳ１６３でページ数の認識をしないとき（Ｓ１６３：ＮＯ）、及びステップＳ１６５でエラー又は警告の通知を行わないときは（Ｓ１６５：ＮＯ）、ステップＳ１６７の処理に移行し、カウンタ値ｎに２をカウントアップし（Ｓ１６７）、次に読み取るべきページ数Ｎ（Ｎ＝Ｂ＋ｎ）を表示操作部１２に表示する（Ｓ１６８）。
【００５８】
ステップＳ１６９でブック原稿のページを更にスキップするときは（Ｓ１６９：ＹＥＳ）、ステップＳ１６０のスキップ先ページ数Ｂを入力する処理に戻り、上記ステップＳ１６０〜Ｓ１６９の処理を繰り返す。
また、ステップＳ１７０でブック原稿の全ページの読取が終了していないときは（Ｓ１７０：ＮＯ）、ステップＳ１６２の処理に戻り、ブック原稿の全ページを順次読み取るまで、ステップＳ１６２〜Ｓ１７０の処理を繰り返す。
【００５９】
原稿のページ数を更にスキップしないときは（Ｓ１６９：ＮＯ）、ブック原稿の全ページの読み取りが終了したか否かの判断を行い（Ｓ１７０）、ブック原稿の全ページの読み取りが終了したときは（Ｓ１７０：ＹＥＳ）、処理を終了する。
【００６０】
以上の処理により、ページ連写読取モードでかつ、読み取る必要のないページをスキップしたい場合においても、制御部１５のページ数カウント手段により、読み取るべきページのガイダンス表示を行うことが可能となり、ユーザの作業ミスを防ぐことができる。
【００６１】
図６は、図２〜図５のフロー図中のページ数の認識処理の手順を示すフロー図である。
まず、ブック原稿にもすべての原稿にページ数が記載されているわけではなく、中にはページ数の記載がされていない原稿や、原稿の汚れや破損によりページ数が認識できない場合もあるため、読み取った画像からページ数の認識が可能かどうかの判断を行う（Ｓ１８０）。
【００６２】
読み取った画像からページ数の認識ができたときは（Ｓ１８０：ＹＥＳ）、ガイダンス表示しているページ数と比較し（Ｓ１８２）、ガイダンス表示しているページ数と一致しないときは（Ｓ１８３：ＮＯ）、読み取るべきページが読み取られていないと判断し、ページ数の認識の結果によるエラー又は警告の通知を行う、つまり、操作表示部１２に「読み取ったページが間違っています」などのエラー又は警告通知を行い（Ｓ１８４）、或いは比較した結果が一致したときは（Ｓ１８３：ＹＥＳ）、処理を終了する。
【００６３】
また、ステップＳ１８０で、ページ数の記載なしや汚れ、破損などによる理由から、読み取った画像からページ数の認識ができないときは（Ｓ１８０：ＮＯ）、ページ数の認識の結果によるエラー又は警告の通知を行う、つまり、操作表示部１２に「ページ数を認識することができませんでした」などのエラー又は警告通知を行い（Ｓ１８１）、処理を終了する。
【００６４】
以上、本発明の実施形態について説明したが、本実施形態によれば、ユーザにより読み取り開始ページ数を入力する入力手段と、複数ページの原稿の各ページを読み取る毎に、上記入力手段により入力された読み取り開始ページ数から読み取ったページをカウントするカウント手段と、上記カウント手段によりカウントしたカウント値を表示する表示手段を有することで、操作表示部１２に次に読み取るべき原稿のページを順次にガイダンス表示することができ、ユーザの作業ミスを防止することができる。なお、操作表示部１２でガイダンス表示を行うか否かを選択することができ、ガイダンス表示が必要なときだけガイダンス表示を行う。
【００６５】
また、複数ページの原稿を読み取る際に、不要の原稿ページを何ページか飛ばしたいことを想定して、ユーザが操作表示部１２上でスキップモードへ移行するか否かを選択することができ、スキップモードへ移行した後は、上記入力手段により入力されたスキップ先ページ数を読み取り開始ページ数とし、ページ数をカウントして、操作表示部１２にガイダンス表示することで、ユーザ所望のページ数配列の順序で複写物を出力したい場合に対応することができる。
【００６６】
また、複数ページの原稿が見開き原稿であるときは、画像読取手段として、見開き原稿の見開き２ページを同時に読み取り、１ページ毎に画像信号を生成するページ連写読取手段と、見開き原稿の見開き２ページを同時に読み取り、見開きページのままに画像信号を生成する見開きページ読取手段のどちらかを選択することができ、上記ページ連写読取手段又は前記見開きページ読取手段で原稿を読み取るときに、２ページずつカウントすることで、ブック原稿などの見開き原稿に対しても正確にページ数を順次にガイダンス表示することができる。
【００６７】
更に、文字認識手段により読み取った原稿の画像データより原稿のページ数を認識し、文字認識手段により認識された原稿のページ数と、操作表示部１２に表示されたカウント値が一致しているか否かを判断する判断手段を用いて、一致していないと判断されたときは、エラー又は警告をユーザに通知することで、読み取るべきページ数をガイダンス表示するだけでなく、読み取り後に読み取ったページ数の確認を行う判断手段を用いることにより、ユーザの作業ミスをより確実に防ぐことができる。なお、エラー又は警告は可視表示でもよく、音声表示でもよいし、可視表示と音声表示を切り替えて表示してもよい。
【００６８】
また、作業中に他のユーザによる割り込みコピーなどによる作業中断が発生した場合にも、ガイダンス表示している原稿のページ数を基に、引き続き次のページから読み取ることができ、最初から作業をやり直さなくてもよい。
【符号の説明】
【００６９】
１０・・・スキャナ、１１・・・プリンタ、１２・・・操作表示部、１３・・・画像蓄積部、１４・・・画像処理部、１５・・・制御部、１６・・・ＲＯＭ、１７・・・ＲＡＭ。
【先行技術文献】
【特許文献】
【００７０】
【特許文献１】特開平０７−０５０７３８号公報
【図１】
2011244333.tif 000003
【図２】
2011244333.tif 000004
【図３】
2011244333.tif 000005
【図４】
2011244333.tif 000006
【図５】
2011244333.tif 000007
【図６】
2011244333.tif 000008